(57)【要約】【課題】  オゾン層を破壊せず、CFC-11に近い熱力学特性を持ち、ターボ冷凍機用に好ましい冷媒を提供する。【解決手段】    下記一般式（１）【化１】2006193668.tif 000013（式中のR0はふっ素原子で置換されていてもよい炭素数２〜４の直鎖もしくは分枝鎖状のアルキレン鎖を示し、cycはCF2R0により炭素環が形成されていることを示す。）で表される化合物を成分とする冷凍機用冷媒とする。【選択図】  なし【特許請求の範囲】
【請求項１】
下記一般式（１）
【化１】
2006193668.tif 000008
（式中のR0はふっ素原子で置換されていてもよい炭素数２〜４の直鎖もしくは分枝鎖状のアルキレン鎖を示し、cycはCF2R0により炭素環が形成されていることを示す。）で表される化合物を成分とする冷凍機用冷媒。
【請求項２】
請求項１の冷凍機用冷媒は、下記式（２）（３）（４）（５）
【化２】
2006193668.tif 000009
で表される化合物の群から選ばれる少なくとも１種を成分とする冷凍機用冷媒。
【請求項３】
下記一般式（６）
【化３】
2006193668.tif 000010
（式中のR1は水素原子またはふっ素原子を示し、R2はふっ素原子で置換されていてもよい炭素数１または２のアルキル基を示す。）で表される化合物を成分とする冷凍機用冷媒。
【請求項４】
請求項３の冷凍機用冷媒は、下記式（７）（８）
【化４】
2006193668.tif 000011
で表される化合物のうち少なくとも１種を成分とする冷凍機用冷媒。
【請求項５】
下記式（９）
【化５】
2006193668.tif 000012
で表される化合物を成分とする冷凍機用冷媒。
【請求項６】
請求項１から５のいずれかの冷凍機用冷媒を用いたターボ冷凍機。
【発明の詳細な説明】
【技術分野】
【０００１】
本願発明は、冷凍機用冷媒に関するものである。さらに詳しくは、ターボ冷凍機に適した冷媒に関するものである。
【背景技術】
【０００２】
ターボ冷凍機は、ターボ圧縮機（遠心圧縮機ともいう）を用いた水冷却装置のことで、商業及び事務所ビル、工場空調、工業プロセス冷却、地域冷暖房施設などの大型空調設備に幅広く利用されおり、圧縮式冷凍機の中でも大容量域をまかなう冷凍機である。
【０００３】
そして、以上のような冷凍機用の冷媒として、従来よりクロロフルオロカーボン（CFC
）が好適に使われていた。特にターボ冷凍機用冷媒としては、トリクロロフルオロメタン（CFC-11）が優れた熱力学的特性を有し、また不燃性で毒性が少なく安定であることから、主に使われてきた。しかしながら、分子中に塩素を含むこのようなCFCは、大気中に放
出されると成層圏まで到達し、成層圏のオゾン層を破壊するため、人類を含む地球上の生態系に重大な悪影響を及ぼすことが指摘され、その生産を禁止することが国際的に決められた。そして、先進国では既にその生産を禁止している。
【０００４】
そこで、従来のターボ冷凍機用の冷媒であるCFC-11を代替する冷媒として、１，１−ジクロロ−２，２，２−トリフルオロエタン（HCFC-123）（例えば、非特許文献１参照）、１，１，１，２−テトラフルオロエタン（HFC-134a）（例えば、非特許文献２）が生産され、現在も利用されている。
【０００５】
しかしながら、HCFC-123のようなヒドロクロロフルオロカーボン類（HCFC）は、分子内に塩素原子を含むためにオゾン層を破壊する効果を持つことから、2020年までに生産を禁止することが国際的に決められている。また、HFC-134aは、冷凍効率がCFC-11よりかなり劣るという問題があった。このため、冷凍機用冷媒として、オゾン層を破壊することなく、エネルギー効率の高い新しい代替冷媒の開発が求められている。
【非特許文献１】荏原製作所ターボ冷凍機ＲＴＡ／ＲＴＦ型カタログ
【非特許文献２】三菱重工業ターボ式冷凍機ＡＲＳシリーズカタログ
【発明の開示】
【発明が解決しようとする課題】
【０００６】
そこで、本願発明は、以上のような背景から、オゾン層を破壊せず、CFC-11に近い熱力学特性を持ち、ターボ冷凍機用に好ましい冷媒を提供することを課題としている。
【課題を解決するための手段】
【０００７】
本願発明は、上記の課題を解決するものとして、第１には、下記一般式（１）
【０００８】
【化１】
2006193668.tif 000002
【０００９】
（式中のR0はふっ素原子で置換されていてもよい炭素数２〜４の直鎖もしくは分枝鎖状のアルキレン鎖を示し、cycはCF2R0により炭素環が形成されていることを示す。）で表される化合物を成分とする冷凍機用冷媒を提供する。
【００１０】
そして、第２には、上記の冷凍機用冷媒は、下記式（２）（３）（４）（５）
【００１１】
【化２】
2006193668.tif 000003
【００１２】
で表される化合物の群から選ばれる少なくとも１種を成分とする冷凍機用冷媒を提供する。
【００１３】
また、本願発明は、第３には、下記一般式（６）
【００１４】
【化３】
2006193668.tif 000004
【００１５】
（式中のR1は水素原子またはふっ素原子を示し、R2はふっ素原子で置換されていてもよい炭素数１または２のアルキル基を示す。）で表される化合物を成分とする冷凍機用冷媒を提供する。
【００１６】
そして、第４には、上記の冷凍機用冷媒は、下記式（７）（８）
【００１７】
【化４】
2006193668.tif 000005
【００１８】
で表される化合物のうち少なくとも１種を成分とする冷凍機用冷媒を提供する。
【００１９】
さらに、本願発明は、第５には、下記式（９）
【００２０】
【化５】
2006193668.tif 000006
【００２１】
で表される化合物を成分とする冷凍機用冷媒を提供する。
【００２２】
また、本願発明は、第６には、上記第１から第５のいずれかの冷凍機用冷媒を用いたターボ冷凍機を提供する。
【発明の効果】
【００２３】
上記のとおり、本願発明によれば、沸点や冷凍サイクルにおける成績係数などがCFC-11に近く、冷媒として好適な物性を持つため、CFC-11の代替としてターボ冷凍機に有用な冷凍機用冷媒とそれを用いたターボ冷凍機が提供される。本願発明の冷凍機用冷媒は、塩素原子を含まないため、オゾン層の破壊を引き起こすことはない。また、適度な水素原子とふっ素原子を持っているため、大気寿命が短くかつ燃焼性が低くなり、環境への負荷を低減することができる。
【発明を実施するための最良の形態】
【００２４】
本願発明は上記のとおりの特徴をもつものであるが、以下にその実施の形態について説明する。
【００２５】
本願発明に用いられる化合物は、上記式（１）、（６）、（９）で表される含ふっ素有機化合物であり、なかでも上記式（２）〜（５）、（７）〜（９）が好適な化合物として例示することができる。以上の化合物は、各々、沸点が20〜40℃の範囲とされ、沸点が24℃のCFC-11とほぼ同様の条件で使用することが可能である。上記式（２）cyc-CF2CHFCHF-には２つの異性体があるが、上記の沸点範囲を考慮するとcis-cyc-CF2CHFCHF-がより好ま
しい。なお、以上の化合物は既知の方法で製造することができる。例えば、上記式（２）cyc-CF2CHFCHF-および上記式（５）cyc-CF2CF(CF3)CH2-はJ.Chem. Soc., Perkin Trans., 1, 1773 (1973).に記載された方法で、上記式（３）cyc-CF2CHFCF2CHF-はJ.Chem. Soc., 3198 (1961).に記載された方法で、上記式（４）cyc-CF2C(CH3)(CF3)CH2-は特開昭49-48636号公報に記載された方法で、上記式（７）CF3CHF-O-CH3はEP0352034号公報に記載された方法で、上記式（８）CF3CH2-O-CF2CH3はGreen  Chemistry, 4(1), 60 (2002).に記載された方法で、上記式（９）CH3SF5はChem.  Ber., 116(2), 645 (1983).に記載された方
法で製造することができる。
【００２６】
本願発明の冷凍機用冷媒は、潤滑油との溶解性改善などのために、ハロゲン化炭化水素類、炭化水素類、エーテル類などの他の化合物を混合していてもよい。このような混合する化合物としては、例えば、CH2F2(HFC-32)、CF3CH2F(HFC-134a)、CF3CHF2(HFC-125)、CF3CH3(HFC-143a)、メタン、エタン、プロパン、ブタン、ペンタン、ジメチルエーテル、ジエチルエーテルなどを挙げることができる。
【００２７】
さらに、本願発明の冷凍機用冷媒は、必要に応じて、安定剤を併用していてもよい。すなわち、過酷な条件のために冷凍機用冷媒の安定性の向上が必要な場合には、プロピレンオキシド、1,2-ブチレンオキシドグリシドールなどのエポキシド類、ジメチルホスファイト、ジイソプロピルホスファイト、ジフェニルホスファイトなどのホスファイト類、トリラウリルトリチオホスファイトなどのチオホスファイト類、トリフェノキシホスフィンサルファイド、トリメチルホスフィンサルファイドなどのホスフィンサルファイド類、ホウ素、トリエチルボレート、トリフェニルボレート、フェニルボロン酸、ジフェニルボロン酸などのホウ素化合物、その他、フェノール類、ニトロアルカン類、アクリル酸エステル類、その他の安定剤を冷媒重量の０．０１〜５％程度添加することができる。
【００２８】
以上の冷凍機用冷媒は優れた成績係数（ＣＯＰ）を有している。ここで「ＣＯＰ」とは（冷凍能力）／（圧縮仕事の熱容量）で表される数値で、圧縮機に供給される機械エネルギーに対する冷却能力の比率を意味しており、「冷凍能力」は圧縮機の単位掃気容積当たりに達成される冷却能力を意味している。冷凍性能としては、ＣＯＰの数値が大きいほど冷凍効率が高くなり好ましいものとされており、本願発明の冷凍機用冷媒はいずれもＣＯＰの数値が大きく、冷凍効率が高いものである。したがって、CFC-11に代替しうる充分な冷媒性能を有しているのである。
【００２９】
そして、本願発明の冷凍機用冷媒は、冷凍機に用いることでその冷凍性能を実現することができる。冷凍機としては、往復冷凍機（レシプロ型）、遠心冷凍機（ターボ型）、回転冷凍機（スクリュー型）などの圧縮式冷凍機を例示することができ、特に限定するものではない。なかでもターボ冷凍機（遠心冷凍機）が好適なものとして挙げられる。
【００３０】
以下に実施例を示し、さらに詳しく説明する。もちろん以下の例によって発明が限定されることはない。
【実施例】
【００３１】
＜実施例１〜７＞
特定の作動条件での冷媒の理論的性能は、標準的冷却サイクル解析法を用いて、冷媒の熱力学特性から推定することができる。表１に示す各々の化合物について、凝縮温度55℃、蒸発温度7℃のサイクル条件における成績係数（ＣＯＰ）と冷凍能力を計算した。その結
果と化合物の沸点を合わせて表１に示す。また、CFC-11についても参考として表１に示す。
【００３２】
【表１】
2006193668.tif 000007
【００３３】
＜比較例＞
HFC-134aについて、実施例と同様にの成績係数（ＣＯＰ）と冷凍能力を計算した。その結果と沸点を表１に示す。
【００３４】
表１から、実施例で用いた化合物はいずれもHFC-134aよりＣＯＰ値が高く、HFC-134aより優れた冷凍性能を持つことがわかる。また、実施例で用いた化合物は、沸点やＣＯＰ値がCFC-11と同程度であることから、CFC-11に代替しうる冷凍機用冷媒であることが確認された。